(57)【要約】【課題】第１通信バンドの第１通信信号を通過させる第１フィルタにおいて、第２通信バンド及び第３通信バンドでの減衰を行う。【解決手段】マルチプレクサ１は、第１フィルタ（第１送信フィルタ３１）と、第２フィルタ（第２受信フィルタ４２）と、第３フィルタ（第３受信フィルタ４３）と、第１インダクタ５１と、第２インダクタ５２とを備える。第１インダクタ５１は、第１フィルタの１つの並列腕共振子（第２並列腕共振子）とグランドとの間に、１つの並列腕共振子に直列に接続されている。第２インダクタ５２は、第１フィルタの他の１つの並列腕共振子（第３並列腕共振子）とグランドとの間に、他の１つの並列腕共振子に直列に接続されている。第１インダクタ５１と第２インダクタ５２は、第１フィルタ側からグランド側への巻き方向が略同一である。【選択図】図１
2020150416.tif 000002
【特許請求の範囲】
【請求項１】
共通端子と、
前記共通端子と電気的に接続可能であり、第１通信バンドの第１通信信号を通過させるフィルタであって、複数の並列腕共振子を含むラダー型フィルタである第１フィルタと、
前記共通端子と電気的に接続可能であり、前記第１通信バンドよりも低い第２通信バンドの第２通信信号を通過させる第２フィルタと、
前記共通端子と電気的に接続可能であり、前記第２通信バンドよりも低い第３通信バンドの第３通信信号を通過させる第３フィルタと、
前記第１フィルタの前記複数の並列腕共振子のうちの１つの並列腕共振子とグランドとの間に、前記１つの並列腕共振子に直列に接続されている第１インダクタと、
前記第１フィルタの前記複数の並列腕共振子のうちの他の１つの並列腕共振子とグランドとの間に、前記他の１つの並列腕共振子に直列に接続されている第２インダクタと、を備え、
前記第１インダクタと前記第２インダクタは、前記第１フィルタ側から前記グランド側への巻き方向が略同一である、
マルチプレクサ。
【請求項２】
前記複数の並列腕共振子は、
前記第１通信バンドよりも低い第１共振周波数を有する第１並列腕共振子と、
前記１つの並列腕共振子としての並列腕共振子であって、前記第１共振周波数よりも低く前記第２通信バンドに含まれている第２共振周波数を有する第２並列腕共振子と、
前記他の１つの並列腕共振子としての並列腕共振子であって、前記第３通信バンドに含まれている第３共振周波数を有する第３並列腕共振子と、を含む、
請求項１に記載のマルチプレクサ。
【請求項３】
前記第１インダクタと前記第２インダクタは、互いに距離が最も近い部分で対向し、かつ、対向する部分は略平行である、
請求項１又は２に記載のマルチプレクサ。
【請求項４】
前記第１インダクタ及び前記第２インダクタが設けられている基板を更に備え、
前記第１インダクタ及び前記第２インダクタのうち前記対向する部分は、前記基板において互いに異なる層に設けられている、
請求項３に記載のマルチプレクサ。
【請求項５】
前記第１フィルタに接続されている第３インダクタを更に備え、
前記複数の並列腕共振子は、
第４共振周波数を有する第４並列腕共振子を更に含み、
前記第３インダクタは、前記第１フィルタの前記第４並列腕共振子と前記グランドとの間に、前記第４並列腕共振子に直列に接続されており、
前記第３インダクタは、前記第１インダクタ及び前記第２インダクタと、前記第１フィルタ側から前記グランド側への巻き方向が略同一である、
請求項２に記載のマルチプレクサ。
【請求項６】
前記第１通信信号は、Ｂａｎｄ１の通信バンドの送信信号であり、
前記第２通信信号は、Ｂａｎｄ３の通信バンドの受信信号であり、
前記第３通信信号は、Ｂａｎｄ３２の通信バンドの受信信号である、
請求項１〜５のいずれか１項に記載のマルチプレクサ。
【請求項７】
請求項１〜６のいずれか１項に記載のマルチプレクサと、
前記第１フィルタに接続されている第１増幅器と、
前記第２フィルタに接続されている第２増幅器と、
前記第３フィルタに接続されている第３増幅器と、を備える、
高周波モジュール。
【請求項８】
請求項７に記載の高周波モジュールと、
前記第１通信信号、前記第２通信信号、及び前記第３通信信号を処理する信号処理回路と、を備える、
通信装置。
【発明の詳細な説明】
【技術分野】
【０００１】
本発明は、一般にマルチプレクサ、高周波モジュール、及び通信装置に関する。本発明は、より詳細には、互いに異なる複数の通信の同時使用に対応可能なマルチプレクサ、このマルチプレクサを備える高周波モジュール、及び、この高周波モジュールを備える通信装置に関する。
【背景技術】
【０００２】
従来、互いに異なる複数の通信の同時使用に対応可能なマルチプレクサが知られている（例えば、特許文献１参照）。
【０００３】
特許文献１に記載されたマルチプレクサでは、複数の周波数帯域の信号を同時に送受信するキャリアアグリゲーション（Carrier Aggregation：ＣＡ）により、Ｂａｎｄ１の送信とＢａｎｄ３の受信が同時に行われたり、Ｂａｎｄ１の送信とＢａｎｄ３２の受信が同時に行われたりする。特許文献１に記載されたマルチプレクサは、複数の搬送波又はチャネルを束ねている。
【先行技術文献】
【特許文献】
【０００４】
【特許文献１】特開２０１５−２０１８０８号公報
【発明の概要】
【発明が解決しようとする課題】
【０００５】
ところで、特許文献１に記載された従来のマルチプレクサでは、Ｂａｎｄ１（第１通信バンド）の送信フィルタ（第１フィルタ）において、Ｂａｎｄ３（第２通信バンド）の受信バンドでの減衰が十分でない場合があった。同様に、Ｂａｎｄ１の送信フィルタにおいて、Ｂａｎｄ３２（第３通信バンド）の受信バンドでの減衰が十分でない場合があった。
【０００６】
本発明は上記の点に鑑みてなされた発明であり、本発明の目的は、第１通信バンドの第１通信信号を通過させる第１フィルタにおいて、第２通信バンド及び第３通信バンドでの減衰を行うことができるマルチプレクサ、高周波モジュール、及び通信装置を提供することにある。
【課題を解決するための手段】
【０００７】
本発明の一態様に係るマルチプレクサは、共通端子と、第１フィルタと、第２フィルタと、第３フィルタと、第１インダクタと、第２インダクタとを備える。前記第１フィルタは、前記共通端子と電気的に接続可能であり、第１通信バンドの第１通信信号を通過させるフィルタである。前記第１フィルタは、複数の並列腕共振子を含むラダー型フィルタである。前記第２フィルタは、前記共通端子と電気的に接続可能であり、前記第１通信バンドよりも低い第２通信バンドの第２通信信号を通過させる。前記第３フィルタは、前記共通端子と電気的に接続可能であり、前記第２通信バンドよりも低い第３通信バンドの第３通信信号を通過させる。前記第１インダクタは、前記第１フィルタの前記複数の並列腕共振子のうちの１つの並列腕共振子とグランドとの間に、前記１つの並列腕共振子に直列に接続されている。前記第２インダクタは、前記第１フィルタの前記複数の並列腕共振子のうちの他の１つの並列腕共振子とグランドとの間に、前記他の１つの並列腕共振子に直列に接続されている。前記第１インダクタと前記第２インダクタは、前記第１フィルタ側から前記グランド側への巻き方向が略同一である。
【０００８】
本発明の一態様に係る高周波モジュールは、前記マルチプレクサと、第１増幅器と、第２増幅器と、第３増幅器とを備える。前記第１増幅器は、前記第１フィルタに接続されている。前記第２増幅器は、前記第２フィルタに接続されている。前記第３増幅器は、前記第３フィルタに接続されている。
【０００９】
本発明の一態様に係る通信装置は、前記高周波モジュールと、信号処理回路とを備える。前記信号処理回路は、前記第１通信信号、前記第２通信信号、及び前記第３通信信号を処理する。
【発明の効果】
【００１０】
本発明の上記態様に係るマルチプレクサ、高周波モジュール、及び通信装置によれば、第１通信バンドの第１通信信号を通過させる第１フィルタにおいて、第２通信バンド及び第３通信バンドでの減衰を行うことができる。
【図面の簡単な説明】
【００１１】
【図１】図１は、実施形態に係るマルチプレクサの平面図である。
【図２】図２は、同上のマルチプレクサの要部の平面図である。
【図３】図３は、同上のマルチプレクサの概略構成図である。
【図４】図４は、同上のマルチプレクサにおける送信フィルタの回路図である。
【図５】図５は、同上のマルチプレクサにおける送信フィルタのフィルタ特性を示すグラフである。
【図６】図６は、実施形態に係る通信装置の概略構成図である。
【図７】図７は、実施形態の変形例に係るマルチプレクサの平面図である。
【図８】図８は、同上のマルチプレクサの要部の平面図である。
【図９】図９は、同上のマルチプレクサにおける送信フィルタのフィルタ特性を示すグラフである。
【発明を実施するための形態】
【００１２】
以下、実施形態に係るマルチプレクサ、高周波モジュール、及び通信装置について、図面を参照して説明する。下記の実施形態等において参照する図面は、模式的な図であり、図中の各構成要素の大きさや厚さそれぞれの比が、必ずしも実際の寸法比を反映しているとは限らない。
【００１３】
（実施形態）
（１）マルチプレクサ
実施形態に係るマルチプレクサ１の全体構成について、図面を参照して説明する。
【００１４】
本実施形態に係るマルチプレクサ１は、図３に示すように、共通端子２と、第１送信フィルタ３１（第１フィルタ）と、第２送信フィルタ３２と、第１受信フィルタ４１と、第２受信フィルタ４２（第２フィルタ）と、第３受信フィルタ４３（第３フィルタ）とを備える。また、マルチプレクサ１は、第１端子１１と、第２端子１２と、第３端子１３と、第４端子１４と、第５端子１５とを備える。さらに、マルチプレクサ１は、図４に示すように、第１インダクタ５１と、第２インダクタ５２と、第３インダクタ５３とを備える。
【００１５】
マルチプレクサ１は、本実施形態では、第１通信バンドの送信と第２通信バンドの受信との同時使用、及び、第１通信バンドの送信と第３通信バンドの受信との同時使用に対応している。マルチプレクサ１は、複数の信号を同時に通信するキャリアアグリゲーションの場合を行う。より詳細には、本実施形態に係るマルチプレクサ１は、第１通信バンドの送信信号と第２通信バンドの受信信号とのキャリアアグリゲーション、及び、第１通信バンドの送信信号と第３通信バンドの受信信号とのキャリアアグリゲーションを行うことが可能である。なお、マルチプレクサ１は、キャリアアグリゲーションを行うことに限定されない。
【００１６】
マルチプレクサ１は、例えば、スマートフォンのような携帯電話に用いられる。なお、マルチプレクサ１は、携帯電話に限定されず、例えば、スマートウォッチのようなウェアラブル端末であってもよい。要するに、マルチプレクサ１は、図６に示すように、外部装置（図示せず）と通信を行う通信装置８に用いられる。
【００１７】
（２）マルチプレクサの各構成要素
以下、本実施形態に係るマルチプレクサ１の各構成要素について、図面を参照して説明する。
【００１８】
（２．１）共通端子
図３に示す共通端子２は、アンテナ９（図６参照）に電気的に接続される。共通端子２は、アンテナ９に直接接続されることに限定されず、アンテナ９に間接的に接続されてもよい。つまり、共通端子２とアンテナ９との間に整合回路のような回路又は回路素子が挿入されてもよい。
【００１９】
（２．２）第１送信フィルタ、第１受信フィルタ
第１送信フィルタ３１は、図３に示すように、第１送信信号をアンテナ９（図６参照）へ送信するための第１送信経路Ｔ１に設けられている。第１送信経路Ｔ１は、第１送信信号を、共通端子２を介して送信するための経路である。第１送信フィルタ３１は、第１通信バンド（第１周波数帯域）の第１送信信号を通過させる。第１通信バンドは、例えば、ＬＴＥ（Long Term Evolution）規格（ＬＴＥ−Ａｄｖａｎｃｅｄ規格を含む）のＢａｎｄ１（送信帯域：１９２０ＭＨｚ−１９８０ＭＨｚ）である。
【００２０】
上記より、第１送信フィルタ３１は、第１通信バンドの第１通信信号（第１送信信号）を、共通端子２を介して伝送させるための第１伝送経路（第１送信経路Ｔ１）に設けられており、第１通信信号を通過させる第１フィルタである。第１通信信号は、Ｂａｎｄ１の通信バンドの送信信号である。
【００２１】
第１受信フィルタ４１は、図３に示すように、第１受信信号をアンテナ９（図６参照）から受信するための第１受信経路Ｒ１に設けられている。言い換えると、第１受信経路Ｒ１は、第１受信信号を、共通端子２を介して受信するための経路である。第１受信フィルタ４１は、第１通信バンド（第１周波数帯域）の第１受信信号を通過させる。第１受信信号の第１通信バンドは、第１送信信号の第１通信バンドと異なる。第１通信バンドは、例えば、ＬＴＥ（Long Term Evolution）規格（ＬＴＥ−Ａｄｖａｎｃｅｄ規格を含む）のＢａｎｄ１（受信帯域：２１１０ＭＨｚ−２１７０ＭＨｚ）である。
【００２２】
（２．３）第２送信フィルタ、第２受信フィルタ
第２送信フィルタ３２は、図３に示すように、第２送信信号をアンテナ９（図６参照）へ送信するための第２送信経路Ｔ２に設けられている。第２送信経路Ｔ２は、第２送信信号を、共通端子２を介して送信するための経路である。第２送信フィルタ３２は、第２通信バンド（第２周波数帯域）の第２送信信号を通過させる。第２通信バンドは、例えば、ＬＴＥ（Long Term Evolution）規格（ＬＴＥ−Ａｄｖａｎｃｅｄ規格を含む）のＢａｎｄ３（送信帯域：１７１０ＭＨｚ−１７８５ＭＨｚ）である。
【００２３】
第２受信フィルタ４２は、図３に示すように、第２受信信号をアンテナ９（図６参照）から受信するための第２受信経路Ｒ２に設けられている。言い換えると、第２受信経路Ｒ２は、第２受信信号を、共通端子２を介して受信するための経路である。第２受信フィルタ４２は、第２通信バンド（第２周波数帯域）の第２受信信号を通過させる。第２受信信号の第２通信バンドは、第２送信信号の第２通信バンドと異なる。第２通信バンドは、例えば、ＬＴＥ（Long Term Evolution）規格（ＬＴＥ−Ａｄｖａｎｃｅｄ規格を含む）のＢａｎｄ３（受信帯域：１８０５ＭＨｚ−１８８０ＭＨｚ）である。
【００２４】
上記より、第２受信フィルタ４２は、第１通信バンドよりも低い第２通信バンドの第２通信信号（第２受信信号）を、共通端子２を介して伝送させるための第２伝送経路（第２受信経路Ｒ２）に設けられており、第２通信信号を通過させる第２フィルタである。第２通信信号は、Ｂａｎｄ３の通信バンドの受信信号である。第１通信バンドの上限周波数は、第１通信バンドの下限周波数よりも低い。
【００２５】
（２．４）第３受信フィルタ
第３受信フィルタ４３は、図３に示すように、第３受信信号をアンテナ９（図６参照）から受信するための第３受信経路Ｒ３に設けられている。第３受信経路Ｒ３は、第３受信信号を、共通端子２を介して伝送するための経路である。第３受信フィルタ４３は、第３通信バンド（第３周波数帯域）の第３受信信号を通過させる。第３通信バンドは、例えば、ＬＴＥ規格（ＬＴＥ−Ａｄｖａｎｃｅｄ規格を含む）のＢａｎｄ３２（受信帯域：１４５２ＭＨｚ−１４９６ＭＨｚ）である。
【００２６】
上記より、第３受信フィルタ４３は、第２通信バンドよりも低い第３通信バンドの第３通信信号（第３受信信号）を、共通端子２を介して伝送させるための第３伝送経路（第３受信経路Ｒ３）に設けられており、第３通信信号を通過させる第３フィルタである。第３通信信号は、Ｂａｎｄ３２の通信バンドの受信信号である。第３通信バンドの上限周波数は、第２通信バンドの下限周波数よりも低い。
【００２７】
（２．５）第１〜５端子
図３に示すように、第１端子１１は、第１送信経路Ｔ１上に設けられており、第１送信フィルタ３１に電気的に接続されている。第１端子１１は、後述のパワーアンプ７１（図６参照）に電気的に接続される。第２端子１２は、第２送信経路Ｔ２上に設けられており、第２送信フィルタ３２に電気的に接続されている。第２端子１２は、後述のパワーアンプ７２（図６参照）に電気的に接続される。第３端子１３は、第１受信経路Ｒ１上に設けられており、第１受信フィルタ４１に電気的に接続されている。第３端子１３は、後述のＬＮＡ（Low Noise Amplifier）７３（図６参照）に電気的に接続される。第４端子１４は、第２受信経路Ｒ２上に設けられており、第２受信フィルタ４２に電気的に接続されている。第４端子１４は、後述のＬＮＡ７４（図６参照）に電気的に接続される。第５端子１５は、第３受信経路Ｒ３上に設けられており、第３受信フィルタ４３に電気的に接続されている。第５端子１５は、後述のＬＮＡ７５（図６参照）に電気的に接続される。
【００２８】
（２．６）第１送信フィルタの詳細構成
第１送信フィルタ３１（第１フィルタ）は、図４に示すように、ラダー型フィルタである。第１送信フィルタ３１は、複数（図示例では５つ）の直列腕共振子と、複数（図示例では４つ）の並列腕共振子とを備える。また、第１送信フィルタ３１は、第１端子Ｐ１と、第２端子Ｐ２と、第３端子Ｐ３と、第４端子Ｐ４と、第５端子Ｐ５と、第６端子Ｐ６とを有する。
【００２９】
複数の直列腕共振子は、図４に示すように、第１直列腕共振子６１と、第２直列腕共振子６２と、第３直列腕共振子６３と、第４直列腕共振子６４と、第５直列腕共振子６５とを含む。複数の直列腕共振子は、第５端子Ｐ５と第６端子Ｐ６との間の経路Ｓ１上に設けられている。複数の直列腕共振子は、経路Ｓ１上において、直列に接続されている。共通端子２側から、第１直列腕共振子６１、第２直列腕共振子６２、第３直列腕共振子６３、第４直列腕共振子６４、第５直列腕共振子６５の順に、複数の直列腕共振子が並んでいる。
【００３０】
複数の並列腕共振子は、図４に示すように、第１並列腕共振子６６と、第２並列腕共振子６７と、第３並列腕共振子６８と、第４並列腕共振子６９とを含む。
【００３１】
第１並列腕共振子６６は、第１共振周波数を有する。第１共振周波数は、第１通信バンドよりも低い。より詳細には、第１共振周波数は、第１通信バンドの下限周波数よりも低い。第１並列腕共振子６６は、経路Ｓ１とグランドとの間に設けられている。より詳細には、第１並列腕共振子６６は、経路Ｓ１上の第１ノードＮ１と第１端子Ｐ１との間の第１経路Ｓ２１上に設けられている。第１ノードＮ１は、経路Ｓ１上において、第３直列腕共振子６３と第４直列腕共振子６４との間に位置する。第１端子Ｐ１は、グランドに電気的に接続されている。つまり、第１端子Ｐ１の電位は、グランド電位である。
【００３２】
第２並列腕共振子６７は、第２共振周波数を有する。第２共振周波数は、第１共振周波数よりも低く、第２通信バンドに含まれている。第２並列腕共振子６７は、経路Ｓ１とグランドとの間に設けられている。より詳細には、第２並列腕共振子６７は、経路Ｓ１上の第２ノードＮ２と第２端子Ｐ２との間の第２経路Ｓ２２上に設けられている。第２ノードＮ２は、経路Ｓ１上において、第１直列腕共振子６１と第２直列腕共振子６２との間に位置する。
【００３３】
第３並列腕共振子６８は、第３共振周波数を有する。第３共振周波数は、第３通信バンドに含まれている。第３並列腕共振子６８は、経路Ｓ１とグランドとの間に設けられている。より詳細には、第３並列腕共振子６８は、経路Ｓ１上の第３ノードＮ３と第３端子Ｐ３との間の第３経路Ｓ２３上に設けられている。第３ノードＮ３は、経路Ｓ１上において、第２直列腕共振子６２と第３直列腕共振子６３との間に位置する。
【００３４】
第４並列腕共振子６９は、第４共振周波数を有する。第４並列腕共振子６９は、経路Ｓ１とグランドとの間に設けられている。より詳細には、第４並列腕共振子６９は、経路Ｓ１上の第４ノードＮ４と第４端子Ｐ４との間の第４経路Ｓ２４上に設けられている。第４ノードＮ４は、経路Ｓ１上において、第４直列腕共振子６４と第５直列腕共振子６５との間に位置する。
【００３５】
（２．７）第１〜３インダクタ
第１インダクタ５１は、図４に示すように、第１送信フィルタ３１（第１フィルタ）に接続されている。より詳細には、第１インダクタ５１は、第１送信フィルタ３１の第２並列腕共振子６７とグランドとの間に、第２並列腕共振子６７に直列に接続されている。
【００３６】
第２インダクタ５２は、第１送信フィルタ３１（第１フィルタ）に接続されている。より詳細には、第２インダクタ５２は、第１送信フィルタ３１の第３並列腕共振子６８とグランドとの間に、第３並列腕共振子６８に直列に接続されている。
【００３７】
第３インダクタ５３は、第１送信フィルタ３１（第１フィルタ）に接続されている。より詳細には、第３インダクタ５３は、第１送信フィルタ３１の第４並列腕共振子６９とグランドとの間に、第４並列腕共振子６９に直列に接続されている。
【００３８】
ここで、マルチプレクサ１は、図１に示すように、基板１０を更に備える。基板１０には、第１インダクタ５１と第２インダクタ５２と第３インダクタ５３とが設けられている。図１の例では、第１インダクタ５１、第２インダクタ５２、及び第３インダクタ５３は、基板１０の主面１０１上に設けられている。さらに、基板１０の主面１０１上には、第１送信フィルタ３１と、第２送信フィルタ３２と、第１受信フィルタ４１と、第２受信フィルタ４２と、第３受信フィルタ４３とが配置されている。
【００３９】
第１インダクタ５１は、図２に示すように、基板１０の主面１０１上に設けられている。第１インダクタ５１の一端は、第２端子Ｐ２とつながっている。一方、第１インダクタ５１の他端は、第１グランド端子Ｇ１とつながっている。第１グランド端子Ｇ１は、直接又は間接的にグランドとつながっている。
【００４０】
第１インダクタ５１は、複数（図示例では３つ）の導体部分５１１〜５１３を有する。導体部分５１１は、第１方向Ｄ１に沿って設けられており、第２端子Ｐ２とつながっている。導体部分５１２は、第２方向Ｄ２に沿って設けられており、導体部分５１１とつながっている。導体部分５１３は、第１方向Ｄ１に沿って設けられており、導体部分５１２及び第１グランド端子Ｇ１とつながっている。複数の導体部分５１１〜５１３は一体となって設けられている。さらに、第１インダクタ５１は、第２端子Ｐ２と第１グランド端子Ｇ１と一体となって設けられている。
【００４１】
第１インダクタ５１は、基板１０の主面１０１の法線方向に沿った軸の周りに設けられている。なお、第１インダクタ５１は、少なくとも１回巻かれている状態であってもよいし、１回も巻かれていない状態であってもよい。また、第１インダクタ５１は、基板１０の主面１０１だけでなく、主面１０１と基板１０の内層面とに分割されて設けられていてもよい。
【００４２】
第２インダクタ５２は、図２に示すように、基板１０の主面１０１上に設けられている。第２インダクタ５２の一端は、第３端子Ｐ３につながっている。一方、第２インダクタ５２の他端は、第２グランド端子Ｇ２につながっている。第２グランド端子Ｇ２は、直接又は間接的にグランドにつながっている。
【００４３】
第２インダクタ５２は、複数（図示例では３つ）の導体部分５２１〜５２３を有する。導体部分５２１は、第２方向Ｄ２に沿って設けられており、第３端子Ｐ３とつながっている。導体部分５２２は、第１方向Ｄ１に沿って設けられており、導体部分５２１とつながっている。導体部分５２３は、第２方向Ｄ２に沿って設けられており、導体部分５２２及び第２グランド端子Ｇ２とつながっている。複数の導体部分５２１〜５２３は一体となって設けられている。さらに、第２インダクタ５２は、第３端子Ｐ３と第２グランド端子Ｇ２と一体となって設けられている。
【００４４】
第２インダクタ５２は、基板１０の主面１０１の法線方向に沿った軸の周りに設けられている。なお、第２インダクタ５２は、少なくとも１回巻かれている状態であってもよいし、１回も巻かれていない状態であってもよい。また、第２インダクタ５２は、基板１０の主面１０１だけでなく、主面１０１と基板１０の内層面とに分割されて設けられていてもよい。
【００４５】
第３インダクタ５３は、図２に示すように、基板１０の主面１０１上に設けられている。第３インダクタ５３の一端は、第４端子Ｐ４につながっている。一方、第３インダクタ５３の他端は、第３グランド端子Ｇ３につながっている。第３グランド端子Ｇ３は、直接又は間接的にグランドにつながっている。
【００４６】
第３インダクタ５３は、複数（図示例では３つ）の導体部分５３１〜５３３を有する。導体部分５３１は、第１方向Ｄ１に沿って設けられており、第４端子Ｐ４とつながっている。導体部分５３２は、第２方向Ｄ２に沿って設けられており、導体部分５３１とつながっている。導体部分５３３は、第１方向Ｄ１に沿って設けられており、導体部分５３２及び第３グランド端子Ｇ３とつながっている。複数の導体部分５３１〜５３３は一体となって設けられている。さらに、第３インダクタ５３は、第４端子Ｐ４と第３グランド端子Ｇ３と一体となって設けられている。
【００４７】
第３インダクタ５３は、基板１０の主面１０１の法線方向に沿った軸の周りに設けられている。なお、第３インダクタ５３は、少なくとも１回巻かれている状態であってもよいし、１回も巻かれていない状態であってもよい。また、第３インダクタ５３は、基板１０の主面１０１だけでなく、主面１０１と基板１０の内層面とに分割されて設けられていてもよい。
【００４８】
第１インダクタ５１と第２インダクタ５２は、図２に示すように、第１送信フィルタ３１（第１フィルタ）側からグランド側への巻き方向が同一である。より詳細には、第１インダクタ５１における第２端子Ｐ２側から第１グランド端子Ｇ１側への巻き方向と、第２インダクタ５２における第３端子Ｐ３側から第２グランド端子Ｇ２側への巻き方向とが同一である。図２では、第１インダクタ５１の上記巻き方向及び第２インダクタ５２の上記巻き方向は、いずれも反時計方向である。
【００４９】
上記より、第１送信信号（第１通信信号）と第１受信信号（第２通信信号）とが同時に伝送する場合、第１送信信号（第１通信信号）と第２受信信号（第３通信信号）とが同時に伝送する場合であっても、Ｂａｎｄ１（第１通信バンド）の第１送信信号（第１通信信号）を通過させる第１送信フィルタ３１（第１フィルタ）において、Ｂａｎｄ３（第２通信バンド）及びＢａｎｄ３２（第３通信バンド）での減衰を行うことができる。
【００５０】
第３インダクタ５３は、図２に示すように、第１インダクタ５１及び第２インダクタ５２と、第１送信フィルタ３１（第１フィルタ）側からグランド側への巻き方向が同一である。より詳細には、第３インダクタ５３における第４端子Ｐ４側から第３グランド端子Ｇ３側への巻き方向は、第１インダクタ５１における第２端子Ｐ２側から第１グランド端子Ｇ１側への巻き方向と、第２インダクタ５２における第３端子Ｐ３側から第２グランド端子Ｇ２側への巻き方向と同一である。図２では、第３インダクタ５３の上記巻き方向は、第１インダクタ５１の上記巻き方向及び第２インダクタ５２の上記巻き方向と同様、反時計方向である。
【００５１】
ところで、図２に示すように、第１インダクタ５１と第２インダクタ５２は、互いに距離が最も近い部分で対向する。第１インダクタ５１及び第２インダクタ５２において、「互いに距離が最も近い部分」とは、３次元において、互いに距離が最も近い部分をいう。なお、図２の例のように、第１インダクタ５１と第２インダクタ５２とが同じ面にある場合、互いに距離が最も近い部分とは、上記面上において互いに距離が最も近い部分をいう。
【００５２】
また、「互いに距離が最も近い部分で対向する」とは、互いに距離が最も近い部分が近接した状態で向かい合うことをいう。「互いに距離が最も近い部分で対向する」とは、上記部分の間に第１インダクタ５１及び第２インダクタとは別の導体が存在せずに、上記部分が向かい合うことをいう。
【００５３】
さらに、第１インダクタ５１と第２インダクタ５２において、対向する部分は略平行である。より詳細には、第１インダクタ５１のうち第２インダクタ５２との対向部分５１４と、第２インダクタ５２のうち第１インダクタ５１との対向部分５２４とが略平行である。ここで、「対向部分５１４と対向部分５２４とが略平行である」とは、対向部分５１４と対向部分５２４とが完全に平行である場合と、対向部分５１４と対向部分５２４とでなす角度が１０度以下である場合とを含む。「対向部分５１４と対向部分５２４とでなす角度」とは、対向部分５１４の長手方向に沿った線分と対向部分５２４の長手方向に沿った線分とでなす角度をいう。「対向部分５１４の長手方向」とは、対向部分５１４において幅方向と直交する方向である。「対向部分５２４の長手方向」とは、対向部分５２４において幅方向と直交する方向である。
【００５４】
本実施形態では、第１インダクタ５１及び第２インダクタ５２のうち対向部分５１４，５２４は、基板１０において同じ層に設けられている。つまり、対向部分５１４，５２４は、基板１０の主面１０１上に設けられている。
【００５５】
第１インダクタ５１の対向部分５１４における第１送信フィルタ３１（第１フィルタ）側からグランド側への向きと、第２インダクタ５２の対向部分５２４における第１送信フィルタ３１側からグランド側への向きは、反対向きである。つまり、対向部分５１４における第２端子Ｐ２側から第１グランド端子Ｇ１側への向き（図２では右向き）と、対向部分５２４における第３端子Ｐ３側から第２グランド端子Ｇ２側への向き（図２では左向き）は、第２方向Ｄ２において、反対向きである。
【００５６】
また、図２に示すように、第２インダクタ５２と第３インダクタ５３は、互いに距離が最も近い部分で対向する。第２インダクタ５２及び第３インダクタ５３のうち互いに距離が最も近い部分とは、３次元において、距離が最も近い部分をいう。なお、図２の例のように、第２インダクタ５２と第３インダクタ５３とが同じ面（主面１０１）にある場合、上記距離が最も近い部分とは、上記面上において距離が最も近い部分をいう。
【００５７】
さらに、第２インダクタ５２と第３インダクタ５３において、対向する部分は略平行である。より詳細には、第２インダクタ５２のうち第３インダクタ５３との対向部分５２５と、第３インダクタ５３のうち第２インダクタ５２との対向部分５３４とが略平行である。ここで、「対向部分５２５と対向部分５３４とが略平行である」とは、対向部分５２５と対向部分５３４とが完全に平行である場合と、対向部分５２５と対向部分５３４とでなす角度が１０度以下である場合とを含む。「対向部分５２５と対向部分５３４とでなす角度」とは、対向部分５２５の長手方向に沿った線分と対向部分５３４の長手方向に沿った線分とでなす角度をいう。「対向部分５２５の長手方向」とは、対向部分５２５において幅方向と直交する方向である。「対向部分５３４の長手方向」とは、対向部分５３４において幅方向と直交する方向である。
【００５８】
本実施形態では、第２インダクタ５２及び第３インダクタ５３のうち対向部分５２５，５３４は、基板１０において同じ層に設けられている。つまり、対向部分５２５，５３４は、基板１０の主面１０１上に設けられている。
【００５９】
第２インダクタ５２の対向部分５２５における第１送信フィルタ３１（第１フィルタ）側からグランド側への向きと、第３インダクタ５３の対向部分５３４における第１送信フィルタ３１側からグランド側への向きは、反対向きである。つまり、対向部分５２５における第３端子Ｐ３側から第２グランド端子Ｇ２側への向き（図２では右向き）と、対向部分５３４における第４端子Ｐ４側から第３グランド端子Ｇ３側への向き（図２では左向き）は、第２方向Ｄ２において、反対向きである。
【００６０】
（３）マルチプレクサの特性
以下、マルチプレクサ１における第１送信フィルタ３１の特性について、図５を参照して説明する。図５において、特性Ａ１は、本実施形態の第１送信フィルタ３１のフィルタ特性である。図５は、特性Ａ１を示すだけでなく、比較例として、特性Ａ２及び特性Ａ３を示す。特性Ａ２は、第１インダクタ及び第２インダクタの巻き方向が異なる場合のフィルタ特性である。特性Ａ３は、第１インダクタ及び第２インダクタが設けられていない場合のフィルタ特性である。
【００６１】
Ｂａｎｄ１  Ｔｘの通信バンド（Ｂａｎｄ１の送信バンド）に近い第１周波数ｆ１における減衰は、第１並列腕共振子６６によって実現される。Ｂａｎｄ３  Ｒｘの通信バンド（Ｂａｎｄ３の受信バンド）に含まれている第２周波数ｆ２における減衰は、第２並列腕共振子６７及び第１インダクタ５１によって実現される。Ｂａｎｄ３  Ｔｘの通信バンド（Ｂａｎｄ３の送信バンド）に含まれている第４周波数ｆ４における減衰は、第４並列腕共振子６９及び第３インダクタ５３によって実現される。
【００６２】
Ｂａｎｄ３２  Ｒｘの通信バンド（Ｂａｎｄ３２の受信バンド）に含まれている第３周波数ｆ３における減衰は、第３並列腕共振子６８及び第２インダクタ５２によって実現される。このとき、第１インダクタ５１の巻き方向と第２インダクタ５２の巻き方向が同一である場合、第１インダクタ５１と第２インダクタ５２とが磁気的に結合しにくいため、減衰量を大きくすることができる。一方、第１インダクタ５１及び第２インダクタ５２が設けられていない場合、特性Ａ３のように、減衰量が小さいため、十分な減衰効果が得られない。また、第１インダクタ５１の巻き方向と第２インダクタ５２の巻き方向とが異なる場合であっても、第１インダクタ５１と第２インダクタ５２とが磁気的に結合することにより、特性Ａ２のように、減衰が十分ではない。
【００６３】
上記より、第１インダクタ５１の巻き方向と第２インダクタ５２の巻き方向とが同一である場合、Ｂａｎｄ１  Ｔｘの通信バンドから離れたＢａｎｄ３２  Ｒｘの通信バンドにおける減衰を実現することができる。
【００６４】
特に、本実施形態のように、Ｂａｎｄ１の送信信号とＢａｎｄ３の受信信号のキャリアアグリゲーションの場合、Ｂａｎｄ１の第１送信フィルタ３１において、Ｂａｎｄ３の受信バンドでの減衰を実現することができる。同様に、Ｂａｎｄ１の送信信号とＢａｎｄ３２の受信信号のキャリアアグリゲーションの場合も、Ｂａｎｄ１の第１送信フィルタ３１において、Ｂａｎｄ３２の受信バンドでの減衰を実現することができる。つまり、複数の信号を同時に通信するキャリアアグリゲーションにおいても、通信バンド以外の帯域の減衰を実現することができる。
【００６５】
（４）高周波モジュール
高周波モジュール７は、図６に示すように、マルチプレクサ１と、複数（図示例では２つ）のパワーアンプ７１，７２と、複数（図示例では３つ）のＬＮＡ（Low Noise Amplifier）７３〜７５とを備える。パワーアンプ７１は、第１送信フィルタ３１（第１フィルタ）に接続されている第１増幅器である。パワーアンプ７２は、第２送信フィルタ３２に接続されている増幅器である。ＬＮＡ７３は、第１受信フィルタ４１に接続されている。ＬＮＡ７４は、第２受信フィルタ４２（第２フィルタ）に接続されている第２増幅器である。ＬＮＡ７５は、第３受信フィルタ４３（第３フィルタ）に接続されている第３増幅器である。
【００６６】
（５）通信装置
通信装置８は、図６に示すように、高周波モジュール７と、ベースバンド信号処理回路８１と、ＲＦ信号処理回路８２とを備える。ベースバンド信号処理回路８１とＲＦ信号処理回路８２とで、第１送信信号、第２送信信号、第１受信信号、第２受信信号、及び第３受信信号を処理する信号処理回路を構成する。
【００６７】
（５．１）ベースバンド信号処理回路
ベースバンド信号処理回路８１は、図６に示すように、例えばＢＢＩＣ（Baseband Integrated Circuit）であり、ＲＦ信号処理回路８２に電気的に接続されている。ベースバンド信号処理回路８１は、ベースバンド信号からＩ相信号及びＱ相信号を生成する。ベースバンド信号処理回路８１は、Ｉ相信号とＱ相信号とを合成することでＩＱ変調処理を行って、第１送信信号及び第２送信信号を出力する。この際、第１送信信号及び第２送信信号は、所定周波数の搬送波信号を、当該搬送波信号の周期よりも長い周期で振幅変調した変調信号として生成される。
【００６８】
（５．２）ＲＦ信号処理回路
ＲＦ信号処理回路８２は、図６に示すように、例えばＲＦＩＣ（Radio Frequency Integrated Circuit）であり、高周波モジュール７とベースバンド信号処理回路８１との間に設けられている。ＲＦ信号処理回路８２は、ベースバンド信号処理回路８１からの第１送信信号及び第２送信信号に対して信号処理を行う機能と、アンテナ９で受信された第１受信信号、第２受信信号、及び第３受信信号に対して信号処理を行う機能とを有する。ＲＦ信号処理回路８２は、マルチバンド対応の処理回路であり、複数の通信バンドの送信信号（第１送信信号、第２送信信号）を生成して増幅することが可能である。
【００６９】
（６）効果
本実施形態に係るマルチプレクサ１は、第１送信フィルタ３１（第１フィルタ）の第２並列腕共振子６７に直列に接続されている第１インダクタ５１と、第１送信フィルタ３１の第３並列腕共振子６８に直列に接続されている第２インダクタ５２とを備える。そして、第１インダクタ５１と第２インダクタ５２は、第１送信フィルタ３１側からグランド側への巻き方向が同一である。これにより、Ｂａｎｄ１（第１通信バンド）の第１送信信号（第１通信信号）を通過させる第１送信フィルタ３１において、Ｂａｎｄ３（第２通信バンド）及びＢａｎｄ３２（第３通信バンド）での減衰を行うことができる。
【００７０】
（７）変形例
以下、本実施形態の変形例について説明する。
【００７１】
第１インダクタ５１及び第２インダクタ５２のうち対向部分５１４，５２４は、基板１０において互いに異なる層に設けられていてもよい。この場合、基板１０は、複数の層で構成される多層基板である。
【００７２】
実施形態は、Ｂａｎｄ１の第１送信信号を通過させる第１送信フィルタ３１の場合であるが、実施形態の変形例として、Ｂａｎｄ１の第１受信信号を通過させる第１受信フィルタ４１の場合も考えられる。
【００７３】
本変形例の場合、第１受信フィルタ４１は、ラダー型フィルタである。第１受信フィルタ４１は、実施形態１の第１送信フィルタ３１と同様、複数の直列腕共振子と、複数の並列腕共振子とを備える。また、第１受信フィルタ４１は、第１端子Ｐ１と、第２端子Ｐ２と、第３端子Ｐ３と、第４端子Ｐ４と、第５端子Ｐ５と、第６端子Ｐ６とを有する。
【００７４】
図７に示す第１インダクタ５１は、第１受信フィルタ４１（第１フィルタ）に接続されている。より詳細には、第１インダクタ５１は、第１受信フィルタ４１の第２並列腕共振子６７とグランドとの間に、第２並列腕共振子６７に直列に接続されている。
【００７５】
図７に示す第２インダクタ５２は、第１受信フィルタ４１（第１フィルタ）に接続されている。より詳細には、第２インダクタ５２は、第１受信フィルタ４１の第３並列腕共振子６８とグランドとの間に、第３並列腕共振子６８に直列に接続されている。
【００７６】
図７に示す第３インダクタ５３は、第１受信フィルタ４１（第１フィルタ）に接続されている。より詳細には、第３インダクタ５３は、第１受信フィルタ４１の第４並列腕共振子６９とグランドとの間に、第４並列腕共振子６９に直列に接続されている。
【００７７】
第１インダクタ５１の一端は、第２端子Ｐ２とつながっている。一方、第１インダクタ５１の他端は、第１グランド端子Ｇ１とつながっている。第１グランド端子Ｇ１は、直接又は間接的にグランドとつながっている。第１インダクタ５１は、複数（図示例では３つ）の導体部分５１１〜５１３を有する。
【００７８】
第２インダクタ５２の一端は、第３端子Ｐ３につながっている。一方、第２インダクタ５２の他端は、第２グランド端子Ｇ２につながっている。第２グランド端子Ｇ２は、直接又は間接的にグランドにつながっている。第２インダクタ５２は、複数（図示例では３つ）の導体部分５２１〜５２３を有する。
【００７９】
第３インダクタ５３の一端は、第４端子Ｐ４につながっている。一方、第３インダクタ５３の他端は、第３グランド端子Ｇ３につながっている。第３グランド端子Ｇ３は、直接又は間接的にグランドにつながっている。第３インダクタ５３は、複数（図示例では３つ）の導体部分５３１〜５３３を有する。
【００８０】
本変形例においても、実施形態と同様、第１インダクタ５１と第２インダクタ５２は、図８に示すように、第１受信フィルタ４１（第１フィルタ）側からグランド側への巻き方向が同一である。より詳細には、第１インダクタ５１における第２端子Ｐ２側から第１グランド端子Ｇ１側への巻き方向と、第２インダクタ５２における第３端子Ｐ３側から第２グランド端子Ｇ２側への巻き方向とが同一である。図８では、第１インダクタ５１の上記巻き方向及び第２インダクタ５２の上記巻き方向は、いずれも反時計方向である。
【００８１】
上記より、Ｂａｎｄ１（第１通信バンド）の第１受信信号（第１通信信号）を通過させる第１受信フィルタ４１（第１フィルタ）において、Ｂａｎｄ１（第２通信バンド）の送信周波数帯及びＢａｎｄ３（第３通信バンド）の送信周波数帯での減衰を行うことができる。
【００８２】
また、本変形例においても、実施形態と同様、第３インダクタ５３は、図８に示すように、第１インダクタ５１及び第２インダクタ５２と、第１受信フィルタ４１（第１フィルタ）側からグランド側への巻き方向が同一である。より詳細には、第３インダクタ５３における第４端子Ｐ４側から第３グランド端子Ｇ３側への巻き方向は、第１インダクタ５１における第２端子Ｐ２側から第１グランド端子Ｇ１側への巻き方向と、第２インダクタ５２における第３端子Ｐ３側から第２グランド端子Ｇ２側への巻き方向と同一である。図８では、第３インダクタ５３の上記巻き方向は、第１インダクタ５１の上記巻き方向及び第２インダクタ５２の上記巻き方向と同様、反時計方向である。
【００８３】
さらに、本変形例においても、実施形態と同様、図８に示すように、第１インダクタ５１と第２インダクタ５２は、互いに距離が最も近い部分で対向する。また、第１インダクタ５１と第２インダクタ５２において、対向する部分は略平行である。より詳細には、第１インダクタ５１のうち第２インダクタ５２との対向部分５１４と、第２インダクタ５２のうち第１インダクタ５１との対向部分５２４とが略平行である。
【００８４】
本変形例においても、実施形態と同様、図８に示すように、第２インダクタ５２と第３インダクタ５３は、互いに距離が最も近い部分で対向する。また、第２インダクタ５２と第３インダクタ５３において、対向する部分は略平行である。より詳細には、第２インダクタ５２のうち第３インダクタ５３との対向部分５２５と、第３インダクタ５３のうち第２インダクタ５２との対向部分５３４とが略平行である。
【００８５】
次に、本変形例に係るマルチプレクサ１における第１受信フィルタ４１の特性について、図９を参照して説明する。
【００８６】
Ｂａｎｄ１  Ｒｘの通信バンド（Ｂａｎｄ１の受信バンド）に近い第１周波数ｆ１における減衰は、第１並列腕共振子６６によって実現される。Ｂａｎｄ３  Ｔｘの通信バンド（Ｂａｎｄ３の送信バンド）に含まれている第２周波数ｆ２における減衰は、第２並列腕共振子６７及び第１インダクタ５１によって実現される。
【００８７】
Ｂａｎｄ３  Ｔｘの通信バンドに含まれている第３周波数ｆ３における減衰は、第３並列腕共振子６８及び第２インダクタ５２によって実現される。このとき、第１インダクタ５１の巻き方向と第２インダクタ５２の巻き方向が同一である場合、第１インダクタ５１と第２インダクタ５２とが磁気的に結合しにくいため、減衰量を大きくすることができる。一方、第１インダクタ５１及び第２インダクタ５２が設けられていない場合、減衰量が小さいため、十分な減衰効果が得られない。また、第１インダクタ５１の巻き方向と第２インダクタ５２の巻き方向とが異なる場合であっても、第１インダクタ５１と第２インダクタ５２とが磁気的に結合することにより、減衰が十分ではない。
【００８８】
上記より、第１インダクタ５１の巻き方向と第２インダクタ５２の巻き方向とが同一である場合、Ｂａｎｄ１  Ｒｘの通信バンドから離れたＢａｎｄ３  Ｔｘの通信バンドにおける減衰を実現することができる。
【００８９】
なお、実施形態に係るマルチプレクサ１は、Ｂａｎｄ１とＢａｎｄ３とＢａｎｄ３２の組合せの他に、Ｂａｎｄ１とＢａｎｄ３とＢａｎｄ４０（２３００ＭＨｚ−２４００ＭＨｚ）の組合せ、Ｂａｎｄ１とＢａｎｄ３とＢａｎｄ４１（２４９６ＭＨｚ−２６９０ＭＨｚ）の組合せに適用可能である。また、マルチプレクサ１は、Ｂａｎｄ２５（送信帯域：１８５０ＭＨｚ−１９１５ＭＨｚ、受信帯域：１９３０ＭＨｚ−１９９５ＭＨｚ）とＢａｎｄ６６（送信帯域：１７１０ＭＨｚ−１７８０ＭＨｚ、受信帯域：２１１０ＭＨｚ−２２００ＭＨｚ）の組合せ、Ｂａｎｄ２５とＢａｎｄ６６とＢａｎｄ７（送信帯域：２５００ＭＨｚ−２５７０ＭＨｚ、受信帯域：２６２０ＭＨｚ−２６９０ＭＨｚ）の組合せ、Ｂａｎｄ２５とＢａｎｄ６６とＢａｎｄ４０の組合せ、Ｂａｎｄ２５とＢａｎｄ６６とＢａｎｄ４１の組合せ、Ｂａｎｄ２５とＢａｎｄ６６とＢａｎｄ３０（送信帯域：２３０５ＭＨｚ−２３１５ＭＨｚ、受信帯域：２３５０ＭＨｚ−２３６０ＭＨｚ）の組合せにも適用可能である。
【００９０】
また、本実施形態に係るマルチプレクサ１は、図３に示すように複数のフィルタを共通端子２に共通接続する（束ねる）構成であるが、上記構成に限定されない。本実施形態の変形例として、マルチプレクサ１は、例えば、複数のフィルタのうちの少なくとも１つを選択して共通端子２に接続させるスイッチ（いわゆるダイレクトマッピングスイッチ）を更に備える構成であってもよい。
【００９１】
上記の各変形例に係るマルチプレクサ１においても、本実施形態に係るマルチプレクサ１と同様の効果を奏する。
【００９２】
以上説明した実施形態及び変形例は、本発明の様々な実施形態及び変形例の一部に過ぎない。また、実施形態及び変形例は、本発明の目的を達成できれば、設計等に応じて種々の変更が可能である。
【００９３】
（態様）
以上説明した実施形態及び変形例より以下の態様が開示されている。
【００９４】
第１の態様に係るマルチプレクサ（１）は、共通端子（２）と、第１フィルタ（第１送信フィルタ３１；第１受信フィルタ４１）と、第２フィルタ（第２受信フィルタ４２；第１送信フィルタ３１）と、第３フィルタ（第３受信フィルタ４３；第２送信フィルタ３２）と、第１インダクタ（５１）と、第２インダクタ（５２）とを備える。第１フィルタは、共通端子（２）と電気的に接続可能であり、第１通信バンド（Ｂａｎｄ１  Ｔｘ；Ｂａｎｄ１  Ｒｘ）の第１通信信号（第１送信信号；第１受信信号）を通過させるフィルタである。第１フィルタは、複数の並列腕共振子を含むラダー型フィルタである。第２フィルタは、共通端子（２）と電気的に接続可能であり、第１通信バンドよりも低い第２通信バンド（Ｂａｎｄ３  Ｒｘ；Ｂａｎｄ１  Ｔｘ）の第２通信信号（第２受信信号；第１送信信号）を通過させる。第３フィルタは、共通端子（２）と電気的に接続可能であり、第２通信バンドよりも低い第３通信バンド（Ｂａｎｄ３２  Ｒｘ；Ｂａｎｄ３  Ｔｘ）の第３通信信号（第３受信信号；第２送信信号）を通過させる。第１インダクタ（５１）は、第１フィルタの複数の並列腕共振子のうちの１つの並列腕共振子（第２並列腕共振子６７）とグランドとの間に、上記１つの並列腕共振子に直列に接続されている。第２インダクタ（５２）は、第１フィルタの複数の並列腕共振子のうちの他の１つの並列腕共振子（第３並列腕共振子６８）とグランドとの間に、上記他の１つの並列腕共振子に直列に接続されている。第１インダクタ（５１）と第２インダクタ（５２）は、第１フィルタ側からグランド側への巻き方向が略同一である。
【００９５】
第１の態様に係るマルチプレクサ（１）によれば、第１通信バンド（Ｂａｎｄ１  Ｔｘ；Ｂａｎｄ１  Ｒｘ）の第１通信信号（第１送信信号；第１受信信号）を通過させる第１フィルタ（第１送信フィルタ３１；第１受信フィルタ４１）において、第２通信バンド（Ｂａｎｄ３  Ｒｘ；Ｂａｎｄ１  Ｔｘ）及び第３通信バンド（Ｂａｎｄ３２  Ｒｘ；Ｂａｎｄ３  Ｔｘ）での減衰を行うことができる。
【００９６】
第２の態様に係るマルチプレクサ（１）では、第１の態様において、複数の並列腕共振子は、第１並列腕共振子（６６）と、第２並列腕共振子（６７）と、第３並列腕共振子（６８）とを含む。第１並列腕共振子（６６）は、第１共振周波数を有する。第１共振周波数は、第１通信バンド（Ｂａｎｄ１  Ｔｘ；Ｂａｎｄ１  Ｒｘ）よりも低い。第２並列腕共振子（６７）は、上記１つの並列腕共振子としての並列腕共振子である。第２並列腕共振子（６７）は、第２共振周波数を有する。第２共振周波数は、第１共振周波数よりも低く、第２通信バンド（Ｂａｎｄ３  Ｒｘ；Ｂａｎｄ１  Ｔｘ）に含まれている。第３並列腕共振子（６８）は、上記他の１つの並列腕共振子としての並列腕共振子である。第３並列腕共振子（６８）は、第３共振周波数を有する。第３共振周波数は、第３通信バンド（Ｂａｎｄ３２  Ｒｘ；Ｂａｎｄ３  Ｔｘ）に含まれている。
【００９７】
第３の態様に係るマルチプレクサ（１）では、第１又は２の態様において、第１インダクタ（５１）と第２インダクタ（５２）は、互いに距離が最も近い部分で対向し、かつ、対向する部分（対向部分５１４，５２４）は略平行である。
【００９８】
第４の態様に係るマルチプレクサ（１）は、第３の態様において、基板（１０）を更に備える。基板（１０）には、第１インダクタ（５１）及び第２インダクタ（５２）が設けられている。第１インダクタ（５１）及び第２インダクタ（５２）のうち対向する部分（対向部分５１４，５２４）は、基板（１０）において互いに異なる層に設けられている。
【００９９】
第５の態様に係るマルチプレクサ（１）は、第２の態様において、第３インダクタ（５３）を更に備える。第３インダクタ（５３）は、第１フィルタ（第１送信フィルタ３１；第１受信フィルタ４１）に接続されている。複数の並列腕共振子は、第４並列腕共振子（６９）を更に含む。第４並列腕共振子（６９）は、第４共振周波数を有する。第３インダクタ（５３）は、第１フィルタの第４並列腕共振子（６９）とグランドとの間に、第４並列腕共振子（６９）に直列に接続されている。第３インダクタ（５３）は、第１インダクタ（５１）及び第２インダクタ（５２）と、第１フィルタ側からグランド側への巻き方向が略同一である。
【０１００】
第６の態様に係るマルチプレクサ（１）では、第１〜５の態様のいずれか１つにおいて、第１通信信号は、Ｂａｎｄ１の通信バンドの送信信号である。第２通信信号は、Ｂａｎｄ３の通信バンドの受信信号である。第３通信信号は、Ｂａｎｄ３２の通信バンドの受信信号である。
【０１０１】
第７の態様に係る高周波モジュール（７）は、第１〜６の態様のいずれか１つのマルチプレクサ（１）と、第１増幅器（パワーアンプ７１）と、第２増幅器（ＬＮＡ７４）と、第３増幅器（ＬＮＡ７５）とを備える。第１増幅器は、第１フィルタ（第１送信フィルタ３１；第１受信フィルタ４１）に接続されている。第２増幅器は、第２フィルタ（第２受信フィルタ４２；第１送信フィルタ３１）に接続されている。第３増幅器は、第３フィルタ（第３受信フィルタ４３；第２送信フィルタ３２）に接続されている。
【０１０２】
第８の態様に係る通信装置（８）は、第７の態様の高周波モジュール（７）と、信号処理回路（ベースバンド信号処理回路８１、ＲＦ信号処理回路８２）とを備える。信号処理回路は、第１通信信号（第１送信信号；第１受信信号）、第２通信信号（第２受信信号；第１送信信号）、及び第３通信信号（第３受信信号；第２送信信号）を処理する。
【符号の説明】
【０１０３】
１  マルチプレクサ
１０  基板
１０１  主面
１１  第１端子
１２  第２端子
１３  第３端子
１４  第４端子
１５  第５端子
２  共通端子
３１  第１送信フィルタ（第１フィルタ、第２フィルタ）
３２  第２送信フィルタ（第３フィルタ）
４１  第１受信フィルタ（第１フィルタ）
４２  第２受信フィルタ（第２フィルタ）
４３  第３受信フィルタ（第３フィルタ）
５１  第１インダクタ
５１１〜５１３  導体部分
５１４  対向部分
５２  第２インダクタ
５２１〜５２３  導体部分
５２４，５２５  対向部分
５３  第３インダクタ
５３１〜５３３  導体部分
５３４  対向部分
６１  第１直列腕共振子
６２  第２直列腕共振子
６３  第３直列腕共振子
６４  第４直列腕共振子
６５  第５直列腕共振子
６６  第１並列腕共振子
６７  第２並列腕共振子
６８  第３並列腕共振子
６９  第４並列腕共振子
７  高周波モジュール
７１  パワーアンプ（第１増幅器）
７２  パワーアンプ
７３  ＬＮＡ
７４  ＬＮＡ（第２増幅器）
７５  ＬＮＡ（第３増幅器）
８  通信装置
８１  ベースバンド信号処理回路（信号処理回路）
８２  ＲＦ信号処理回路（信号処理回路）
９  アンテナ
Ｔ１  第１送信経路
Ｔ２  第２送信経路
Ｒ１  第１受信経路
Ｒ２  第２受信経路
Ｒ３  第３受信経路
Ｐ１  第１端子
Ｐ２  第２端子
Ｐ３  第３端子
Ｐ４  第４端子
Ｐ５  第５端子
Ｐ６  第６端子
Ｎ１  第１ノード
Ｎ２  第２ノード
Ｎ３  第３ノード
Ｎ４  第４ノード
Ｓ１  経路
Ｓ２１  第１経路
Ｓ２２  第２経路
Ｓ２３  第３経路
Ｓ２４  第４経路
Ｇ１  第１グランド端子
Ｇ２  第２グランド端子
Ｇ３  第３グランド端子
Ａ１  特性
Ａ２  特性
Ａ３  特性
ｆ１  第１周波数
ｆ２  第２周波数
ｆ３  第３周波数
ｆ４  第４周波数
Ｄ１  第１方向
Ｄ２  第２方向
【図１】
2020150416.tif 000003
【図２】
2020150416.tif 000004
【図３】
2020150416.tif 000005
【図４】
2020150416.tif 000006
【図５】
2020150416.tif 000007
【図６】
2020150416.tif 000008
【図７】
2020150416.tif 000009
【図８】
2020150416.tif 000010
【図９】
2020150416.tif 000011